(57)【要約】      （修正有）【課題】ロールカーテンによって窓ガラスとロールカーテンとの間に空気層を設けて優れた断熱効果を実現するとともに、容易に着脱可能な断熱ロールカーテンを提供する。【解決手段】筐体２ａの内部において、カーテン３が下端部を送出可能に回転軸２ｂに巻回され、窓枠の上方に配置されたロールカーテン２と、窓枠の幅方向における両側壁において、カーテンの幅方向における両側端部３ａを両側壁の上端から下端に亘ってそれぞれガイドする一対のガイド部材４と、カーテンの下端部３ｂを前記窓枠の下面に固定する固定部材５とを有する。一対のガイド部材には、カーテンの両側端部を挟持または解放する挟持部４ａが備えられている。【選択図】図１
0003178250.tif 000002
【実用新案登録請求の範囲】
【請求項１】
筐体の内部において、カーテンが下端部を送出可能に回転軸に巻回され、窓枠の上方に配置されたロールカーテンと、
前記窓枠の幅方向における両側壁において、前記カーテンの幅方向における両側端部を前記両側壁の上端から下端に亘ってそれぞれガイドする一対のガイド部材と、
前記カーテンの下端部を前記窓枠の下面に固定する固定部材とを有し、
前記一対のガイド部材には、前記カーテンの両側端部を挟持または解放する挟持部が備えられていることを特徴とする断熱ロールカーテン。
【請求項２】
前記カーテンの幅方向における両側端部には、前記挟持部の内部に前記カーテンの幅方向における両側端部を係止する係止部が形成されていることを特徴とする請求項１に記載の断熱ロールカーテン。
【請求項３】
前記カーテンの下端部には、前記固定部材に対して磁着するマグネットが設けられ、
前記固定部材には、前記マグネットが磁着する磁着部が形成されていることを特徴とする請求項１または請求項２に記載の断熱ロールカーテン。
【請求項４】
前記ロールカーテンの前記筐体には、前記カーテンが出入りする開口部が形成され、
前記カーテンが引き出される方向における前記開口部の上流側には、送出する前記カーテンに当接するように膨出した膨出部が形成されていることを特徴とする請求項１乃至請求項３のいずれか１項に記載の断熱ロールカーテン。
【請求項５】
前記ロールカーテン、前記一対のガイド部材、前記固定部材および前記付勢部材が着脱可能な両面テープによって設置されていることを特徴とする請求項１乃至請求項４のいずれか１項に記載の断熱ロールカーテン。
【請求項６】
前記カーテンを前記窓枠の天井面に対して、付勢または解放する付勢部材を有することを特徴とする請求項１乃至請求項５のいずれか１項に記載の断熱ロールカーテン。
【考案の詳細な説明】
【技術分野】
【０００１】
本考案は、ロールカーテンによって窓ガラスとの間に空気層を設けて、室内の恒温性を向上させることを可能とする断熱ロールカーテンに関する。
【背景技術】
【０００２】
一般に、屋内外を分ける位置に設けられている窓においては、当該窓からの熱損失または熱吸収が大きく、このような熱の移動は暖房効果や冷房効果などを低下させる大きな要因の１つである。
【０００３】
新築の場合には、窓を２重窓にするなどして、屋外と室内との間に一対の窓ガラスによって空気層を設けて、前述のような熱の移動を緩やかにする工夫がなされている。
【０００４】
しかしながら、既存の家や、賃貸住宅または仮設住宅などでは、後から２重窓へ変更することはコスト面や原状回復などの問題から現実的ではない。
【０００５】
特許文献１には、ロールカーテンを折り返して２重構造として断熱空間を形成して、結露を防止することや、ロールカーテンの幅方向における両端部にフレームを取り付けて２枚のロールカーテンによって形成された空間を閉空間とすることでさらに断熱効果を向上させることなどが提案されている。
【先行技術文献】
【特許文献】
【０００６】
【特許文献１】特開２００５−１４６５１８号公報
【考案の概要】
【考案が解決しようとする課題】
【０００７】
しかしながら、窓枠の深さは様々であり、窓枠の深さが浅い場合には、特許文献１に記載の断熱空間の形成方法のように、ロールカーテンを折り返して２重とすることは困難である。
【０００８】
また、一度設置してしまうと取り外しは困難であり、賃貸のアパートなどの場合には、原状回復の問題がある。
【０００９】
そこで、本考案においては、ロールカーテンによって窓ガラスとロールカーテンとの間に空気層を設けて優れた断熱効果を実現するとともに、容易に着脱可能な断熱ロールカーテンを提供することを目的とする。
【課題を解決するための手段】
【００１０】
上記目的を達成するべく、本考案の第１の態様の断熱ロールカーテンは、筐体の内部において、カーテンが下端部を送出可能に回転軸に巻回され、窓枠の上方に配置されたロールカーテンと、前記窓枠の幅方向における両側壁において、前記カーテンの幅方向における両側端部を前記両側壁の上端から下端に亘ってそれぞれガイドする一対のガイド部材と、前記カーテンの下端部を前記窓枠の下面に固定する固定部材とを有し、前記一対のガイド部材には、前記カーテンの両側端部を挟持または解放する挟持部が備えられていることを特徴とする。
【００１１】
このような、本考案の第１の態様の断熱ロールカーテンとすることにより、ロールカーテンから引き出したカーテンの両側端部を一対のガイド部材に備えられた挟持部において挟持するとともに、固定部材によってカーテンの下端部を固定することで、窓ガラスとカーテンとの間において所定の間隔を設けた状態で窓枠内をカーテンによって密閉することができるため、窓ガラスとカーテンとの間に空気層を形成して優れた断熱効果を実現することを可能とする。
【００１２】
本考案の第２の態様の断熱ロールカーテンは、前記カーテンの幅方向における両側端部には、前記挟持部の内部に前記カーテンの幅方向における両側端部を係止する係止部が形成されていることを特徴とする。
【００１３】
このような、本考案の第２の態様の断熱ロールカーテンとすることにより、カーテンを一対のガイド部材に沿って下方へ引き下げる場合に、カーテンの両側端部が挟持部から脱落することを防止して、容易にカーテンを一対のガイド部材に沿ってガイドした状態で引き下げることを可能とする。
【００１４】
本考案の第３の態様の断熱ロールカーテンは、前記カーテンの下端部には、前記固定部材に対して磁着するマグネットが設けられ、前記固定部材には、前記マグネットが磁着する磁着部が形成されていることを特徴とする。
【００１５】
このような、本考案の第３の態様の断熱ロールカーテンとするとにより、固定部材に対するカーテンの下端部の着脱を容易に行うことを可能とする。
【００１６】
本考案の第４の態様の断熱ロールカーテンは、前記ロールカーテンの前記筐体には、前記カーテンが出入りする開口部が形成され、前記カーテンが引き出される方向における前記開口部の上流側には、送出する前記カーテンに当接するように膨出した膨出部が形成されていることを特徴とする。
【００１７】
このような、本考案の第４の態様の断熱ロールカーテンとすることにより、カーテンを引き出して挟持部および固定部材によって固定して、窓ガラスとカーテンとの間に空気層を設けた場合に、膨出部がカーテンに当接することで、ロールカーテンの筐体内を空気が通過することを防止することができるので断熱効果をさらに向上させることを可能とする。
【００１８】
本考案の第５の態様の断熱ロールカーテンは、前記カーテンを前記窓枠の天井面に対して、付勢または解放する付勢部材を有することを特徴とする。
【００１９】
このような、本考案の第５の態様の断熱ロールカーテンとすることにより、ロールカーテンを窓枠内に配設することができない場合においても、ロールカーテンから引き出したカーテンを窓枠の天井面に圧接して、カーテンによる窓枠内の密閉を可能とするので、窓ガラスとカーテンとの間に容易に空気層を形成して、高い断熱効果を実現することができる。
【００２０】
本考案の第６の態様の断熱ロールカーテンは、前記ロールカーテン、前記一対のガイド部材、前記固定部材および前記付勢部材が着脱可能な両面テープによって設置されていることを特徴とする。
【００２１】
このような、本考案の第６の態様の断熱ロールカーテンとすることにより、既存の窓枠に対して低コストで配設することができるとともに、賃貸住宅の場合においても、簡単に着脱可能とすることで原状回復を可能とした断熱ロールカーテンを提供することを可能とする。
【考案の効果】
【００２２】
本考案の断熱ロールカーテンによれば、ロールカーテンのカーテンを窓枠に設けた一対のガイド部材および固定部材によって、窓枠に対して固定することで、窓ガラスとカーテンとの間において所定の間隔を設けた状態で、カーテンによって窓枠内を密閉することができ、窓ガラスとカーテンとの間に空気層を形成して優れた断熱効果を実現することを可能とする。
【００２３】
さらに、各部材を着脱可能な両面テープによって配設するようにされているので、低コストで断熱ロールカーテンを設置することができるとともに、簡単な着脱を可能として、賃貸住宅に配設する場合においても、原状回復が容易な断熱ロールカーテンを提供することを可能とする。
【図面の簡単な説明】
【００２４】
【図１】本考案の断熱ロールカーテンの実施形態を示す斜視図
【図２】（ａ）および（ｂ）は、本考案の断熱ロールカーテンの実施形態における挟持部の要部を示す断面図
【図３】本考案の断熱ロールカーテンの実施形態における固定部材の要部を示す断面図
【図４】カーテンと窓ガラスによる空気層を形成したイメージを現す断面図
【図５】本考案の断熱ロールカーテンの実施形態におけるロールカーテンの筐体内を示す概略断面図
【図６】本考案の断熱ロールカーテンの実施形態における付勢部材を配置した場合の概略断面図
【図７】本考案の断熱ロールカーテンの第３実施形態および第４実施形態における挟持部を示す図であり、（ａ）は、第３実施形態のばね式の挟持部の断面図を示し、（ｂ）は、第４実施形態の磁着式の挟持部の断面図を示す。
【考案を実施するための形態】
【００２５】
本考案の断熱ロールカーテンは、筐体の内部において、カーテンが下端部を送出可能に回転軸に巻回され、窓枠の上方に配置されたロールカーテンと、窓枠の幅方向における両側壁部において、カーテンの幅方向における両側端部を両側壁の上端から下端に亘ってそれぞれガイドする一対のガイド部材と、カーテンの下端部を窓枠の下面に固定する固定部材とを有しており、一対のガイド部材には、カーテンの両側端部を挟持または解放する挟持部を備えるようにされている。
【００２６】
カーテンの幅方向における両側端部には、挟持部の内部に当該両側端部を係止する係止部を形成するようにされている。
【００２７】
カーテンの下端部には、固定部材に対して磁着するマグネットが設けられ、固定部材には、当該マグネットが磁着する磁着部が形成されている。
【００２８】
ロールカーテンの筐体には、カーテンが出入りする開口部が形成されており、カーテンが引き出される方向における開口部の上流側には、カーテンに当接するように膨出した膨出部が形成されている。
【００２９】
また、ロールカーテンが窓枠の天井面以外の窓枠の上方に配設されている場合においては、ロールカーテンから引き出されたカーテンを窓枠の天井面に対して付勢または解放する付勢部材を有している。
【００３０】
さらに、ロールカーテン、一対のガイド部材、固定部材および付勢部材は、着脱可能な両面テープによって窓枠または窓枠の上方に設置するようにされている。
【００３１】
本考案の断熱ロールカーテンの具体的な実施形態を図１乃至図７を用いて以下に詳しく説明する。
【００３２】
本考案の断熱ロールカーテン１の第１実施形態は、図１に示すように、窓枠（図示せず）内における、室内と窓ガラスとの間に配設するようにされており、窓枠の天井面に設けられるロールカーテン２と、ロールカーテン２の筐体２ａに形成された下部開口部２ｃから引き出され窓ガラスとの間に空気層を形成するように配置されるカーテン３と、カーテン３の両側端部３ａ，３ａを窓枠の上端から下端に亘ってガイドする一対のガイド部材４，４と、窓枠の下面に配置されカーテン３の下端部３ｂを当該下面に固定するための固定部材５とを有している。
【００３３】
カーテン３は、ロールカーテン２の筐体２ａ内において、回転軸２ｂに基端部が巻回されており、下端部３ｂを窓枠内における所望の高さまで引き出すことにより、窓枠の所望の範囲をカーテン３によって覆うことができる。また、回転軸２ｂには、図示を省略したコイルばねが設けられており、引き出したカーテン３は、一旦、引くのを止めることで所望の長さを維持することができ、再度、下方にカーテン３を引くと、コイルばねによって回転軸２ｂが逆回転を始め、カーテン３は、回転軸２ｂに巻き取られるようにされている。
【００３４】
カーテン３の両側端部３ａ，３ａは、窓枠の両側壁にそれぞれ設けられた一対のガイド部材４，４に備えられた各挟持部４ａ内に沿ってガイドされた状態で上下動するようにされており、両側端部３ａ，３ａには、挟持部４ａから脱落しないように係止部３ｄがそれぞれ形成されている。
【００３５】
挟持部４ａは、図２（ａ）および（ｂ）に示すように、互いの凹部を向かい合わせた状態（図２においては上下方向に対向している状態）で配置された略コの字状の非可動部４ｂおよび可動部４ｃを備え、非可動部４ｂと可動部４ｃとによって囲われた空間内にカーテン３の両側端部３ａ，３ａに設けられた係止部３ｄが収容されることによりカーテン３を一対のガイド部材４，４に沿ってガイドすることができる。非可動部４ｂと可動部４ｃのカーテン３に当接する部分には、ゴムなどの弾性部材４ｄがそれぞれ設けられている。
【００３６】
挟持部４ａは、可動部４ｃをカーテン３に対して圧接または解放することにより、カーテン３を挟持または解放するようにされている。解放時においては、図２（ａ）に示すように、可動部４ｃが非可動部４ｂから離れて位置しており、両弾性部材４ｄ，４ｄの間に隙間を設けて、カーテン３のスムーズな引き下げもしくは巻き上げを可能とする。圧接時においては、図に２（ｂ）に示すように、可動部４ｃを矢印で示す平面視上方に移動させて、非可動部４ｂおよび可動部４ｃの両弾性部材４ｄ，４ｄによってカーテン３を挟持し、カーテン３とガイド部材４との間において、空気の移動が生じることを抑制することができる。
【００３７】
カーテン３の下端部３ｂには、図３（ａ）に示すように、窓枠の下面に設けられた固定部材５の磁着部５ａに磁着可能なマグネット３ｃが設けられており、窓枠の下面に設けられた固定部材５の内部まで引き下げられることにより、磁着部５ａにマグネット３ｃが磁着して、カーテン３の下端部３ｂが窓枠の下面に固定するようにされている。非可動部５ｂと可動部５ｃのカーテン３に当接する部分には、ゴムなどの弾性部材５ｄがそれぞれ設けられている。
【００３８】
固定部材５は、互いの凹部を向かい合わせた状態（図３においては、白湯方向に対向している状態）で配置された略コの字状の非可動部５ｂおよび可動部５ｃを備え、可動部５ｃの磁着部５ａにマグネット３ｃが磁着している状態で、図３（ｂ）に示すように、矢印で示した平面視左方向へ可動部５ｃを移動させることにより、非可動部５ｂと可動部５ｃに設けられた弾性部材５ｄ，５ｄがカーテン３を挟持するようにされている。このような、固定部材５とすることにより、窓枠の下面からの空気の移動を抑制することができる。
【００３９】
このように、一対のガイド部材４，４の各挟持部４ａ及び固定部材５によって、カーテン３の両側端部３ａ、３ａおよび下端部３ｂを窓枠に挟持して固定することにより、窓ガラスとカーテン３との間において所定の間隔を設けた状態で窓枠内をカーテン３によって密閉することができ、図４に示すように、窓ガラス８とカーテン３との間に空気層９を形成して、窓ガラス８側から室内への熱の移動または、室内から窓ガラス８側への熱の移動を抑制して、優れた断熱効果を実現し、室内の恒温性を向上させることを可能とする。
【００４０】
また、ロールカーテン２の筐体内には、図５に示すように、カーテン３が引き出される方向における下部開口部２ｃの上流側には、カーテン３に当接するように膨出した膨出部２ｄが形成されており、ロールカーテン２の空間内を通した窓ガラス８側と室内との間におけるの空気の移動遮断して、空気層９の気密性を高めることで、高い断熱効果を実現可能とする。
【００４１】
このような、本考案の断熱カーテンの第１実施形態における断熱方法は、一対のガイド部材４，４の挟持部４ａおよび固定部材５を解放させた状態で、カーテン３の両側端部３ａ，３ａを一対のガイド部材４，４の挟持部４ａに沿ってガイドさせてカーテン３の下端部３ｂを窓枠の下面まで引き下げ、下端部３ｂに設けられたマグネット３ｃを固定部材５の磁着部５ａと磁着させる。
【００４２】
この状態で、一対のガイド部材４，４の各挟持部４ａの可動部４ｃをカーテン３に圧接させて挟持するとともに、固定部材５の可動部５ｃをカーテン３に圧接させて挟持する。このとき、各挟持部４ａおよび固定部材５によってカーテン３を挟持することで、カーテン３によって窓枠内を密閉して窓ガラス８側と室内との間における空気の移動を遮断するとともに、窓ガラス８とカーテン３との間に空気層９を形成することによって断熱効果を得ることができる。
【００４３】
次に、本考案の断熱ロールカーテン１の第２実施形態について説明する。
【００４４】
第２実施形態においては、窓枠の深さが浅い場合の態様であり、図６に示すように、窓枠７を形成する窓枠７の上方の壁面にロールカーテン２を設けるようにされている。また、ロールカーテンから２から引き出されたカーテン３を窓枠７の天井面７ａに付勢するとともに、ロールカーテン２の下部開口部２ｃから窓枠７の両側壁７ｂ，７ｂに設けられた一対のガイド部材４，４の上端部までの搬送経路を形成する付勢部材６が備えられている。
【００４５】
付勢部材６は、カーテン３を窓枠７の天井面７ａに付勢する付勢ローラ６ａと付勢ローラ６ａを窓枠７の天井面７ａに対して圧接または解除する支持部材６ｂとを有している。また、支持部材６ｂは、ロールカーテン２の筐体２ａに下端部が支持され、図示を省略したばね部材によって、基端部に設けられた付勢ローラ６ａを窓枠７の天井面７ａに対して圧接または離間するように形成されている。
【００４６】
このような、第２実施形態の断熱ロールカーテン１における断熱方法は、窓枠７の上方の壁面に配設されたロールカーテン２からカーテン３の下端部３ｂを引き出し、カーテン３を解放した状態の付勢部材６と天井面７ａとによって形成された搬送経路を通すとともに、当該カーテン３の下端部３ｂの幅方向における両側端部３ａ，３ａを窓枠７の両側壁７ｂ，７ｂに配設された一対のガイド部材４，４の各挟持部４ａに沿ってガイドさせた状態で、当該カーテン３を窓枠７の下面まで引き下げる。
【００４７】
カーテン３の下端部３ｂが窓枠７の下面に到達したら、カーテン３の下端部３ｂを固定部材５によって窓枠７の下面に固定し、カーテン３の両側端部３ａ，３ａを一対のガイド部材４，４の各挟持部４ａによって挟持する。さらに、付勢部材６を天井面７ａに対して圧接してカーテン３を窓枠７の天井面７ａに付勢する。
【００４８】
この時、カーテン３は、窓枠７の天井面７ａ、両側壁７ｂ，７ｂおよび下面の４面すべてに対して隙間なく固定または付勢されているため、カーテン３によって窓枠７内の空間が密閉された状態となり、窓ガラス８とカーテン３との間に空気層９を形成して、窓ガラス８側から室内への熱の移動または、室内から窓ガラス８側への熱の移動を抑制して、優れた断熱効果を実現し、室内の恒温性を向上させることを可能とする。
【００４９】
また、ロールカーテン２、一対のガイド部材４，４および固定部材５は、容易に剥がせる種類の両面テープにより窓枠７内に設置するようにされており、賃貸住宅などの原状回復が必要な場所に設置した場合においても、簡単に取り外して、容易な原状回復を可能としている。容易に剥がせる種類の両面テープは、市販のものを適宜選択して用いることができる。
【００５０】
本考案の断熱ロールカーテン１の第３実施形態について説明する。
【００５１】
第３実施形態においては、図７（ａ）に示すように、挟持部４ａが少なくとも１つのばね部材４ｅを備え、可動部４ｃがばね部材４ｅによって常に非可動部４ｂ側へ弾性付勢されている。カーテン３の両側端部３ａ，３ａは、非可動部４ｂおよび可動部４ｃに設けられた各弾性部材４ｄ、４ｄがばね部材４ｅの弾性付勢力によって当接することで挟持するようにされている。さらに、カーテン３の開閉時においては、カーテン３からの図７（ａ）における下方向への負荷をばね部材４ｅが縮むことによって吸収するようにされているので、各弾性部材４ｄ，４ｄとカーテン３とが必要以上に摩擦するのを防止して、スムーズなカーテン３の引き下げおよび巻き上げを可能としている。
【００５２】
このような、本実施形態とすることにより、カーテン３の両側端部３ａ，３ａをばね部材４ｅの弾性付勢力によって容易に挟持することができ、窓枠の両側壁における、窓ガラス８側と室内との間における空気の移動を抑制することができる。さらに、カーテン３の開閉時においても、カーテン３と各弾性部材４ｄ、４ｄとの必要以上の摩擦が発生するのを防止して、スムーズなカーテン３の開閉を可能とする。
【００５３】
本考案の断熱ロールカーテン１の第４実施形態について説明する。
【００５４】
第４実施形態においては、図７（ｂ）に示すように、挟持部４ａの非可動部４ｂに電磁石４ｆが備えられ、可動部４ｃが磁石もしくは磁着可能な金属から形成され、電磁石４ｆをスイッチに連動させて磁石状態とすることにより、非可動部４ｂの電磁石４ｆに可動部４ｃを磁着するようにされている。カーテン３の両側端部３ａ，３ａは、可動部４ｃが電磁石４ｆの磁力によって引き寄せられて、非可動部４ｂおよび可動部４ｃに設けられた各弾性部材４ｄ，４ｄが当接することで、挟持するようにされている。なお、本実施形態における各弾性部材４ｄ，４ｄは、磁着力に影響を及ぼさない厚さに形成されている。
【００５５】
このような、本実施形態とすることにより、カーテン３の両側端部３ａ，３ａを電磁石４ｆのスイッチのオンおよびオフによって容易に挟持することができ、窓枠の両側壁における、窓ガラス８側と室内との間における空気の移動を抑制することができる。
【００５６】
本考案の断熱ロールカーテン１は第１実施形態乃至第４実施形態に限定されるものではなく、本考案の特徴を損なわない範囲において種々の変更が可能である。
【符号の説明】
【００５７】
１  断熱ロールカーテン
２  ロールカーテン
２ａ  筐体
２ｂ  回転軸
２ｃ  開口部
２ｄ  膨出部
３  カーテン
３ａ，３ａ  側端部
３ｂ  下端部
３ｃ  マグネット
３ｄ  係止部
４，４  ガイド部材
４ａ  挟持部
５  固定部材
５ａ  磁着部
６  付勢部材
７  窓枠
７ａ  天井面
７ｂ，７ｂ  側壁
８  窓ガラス
９  空気層
【図１】
0003178250.tif 000003
【図２】
0003178250.tif 000004
【図３】
0003178250.tif 000005
【図４】
0003178250.tif 000006
【図５】
0003178250.tif 000007
【図６】
0003178250.tif 000008
【図７】
0003178250.tif 000009